(57)【要約】【課題】従来のパタ−クラブの練習用としての、用具、装置、機器等は実物のパタ−クラブを用いて練習できない物であったり、実物のクラブが使用できてもカップの所で坂になっているので、フィ−リングがつかめなかったりと、かなり実践にはほど遠いもので、レベルアップには不向きです。【解決手段】パタ−クラブの、技術、感覚、視覚などの、レベルアップには実践に近い状態での練習が必要です。そこで、本発明は、自宅で実物のパタ−クラブを用いて、実物のボ−ルを打撃しながら練習ができ、実践同様にレベルもアップできる練習装置です。【選択図】図１
2005329259.tif 000002
【特許請求の範囲】
【請求項１】
パタ−でボ−ルを打つ時の、テ−クバック始動時及びインパクトの時にクラブヘッドが、目標ライン線上から数ｍｍでも、外れた時に調節棒にクラブヘッドが触れて、調節棒が半回転して、教えてくれます。テ−クバック及びインパクトの時のクラブヘッドが目標ライン線上に沿って正しく振れているかどうかを、目で確認できるパタ−練習装置。
【請求項２】
実物のパタ−クラブで、実物のボ−ルを実践同様に打撃して練習ができる。と同時にクラブヘッドが正しく振れているかいないかの、状態を本人の目で見て体で感じることができ、その場で正しい振り方を自分自身で調整しながら練習ができる請求項１記載のパタ−練習装置。
【請求項３】
固定された板と、調節棒の間に実物のパタ−クラブを置いて、クラブヘッドのサイズに合わせて調節棒を前後に移動し、ヘッドが左右にスム−ズに振れるような位置で、調節棒を固定します。調節棒は、前後に移動できる装置が付いてる台座と、台座受けとクラブヘッドが触れると動く調節棒とが、一組になっている装置で請求項１から請求項２記載のパタ−練習装置。
【請求項４】
調節棒は、幅１０〜２０ｍｍ、高さ１５〜２５ｍｍ、長さ１８０〜２００ｍの大きさの四角の棒で、パタ−が通る内側面は、両側角が内側から外側にア−ルがついている。調節棒の中心の底部には、太さ１０ｍｍ、長さ１５ｍｍの楕円型の軸を取り付け、台座の軸受け穴に差し込める用になっており、台座から着脱可能である。調節棒は、幅、高さ、長さのサイズの違う物を付属として作成し、好みに合わせて取換えができる請求項１から請求項３記載のパタ−練習装置。
【請求項５】
調節棒を受ける台座は（厚さが１〜３ｍｍ、幅３０〜５０ｍｍ、長さ７０〜１００ｍｍ）長方形の板（素材は鉄、ステン、アルミ、プラスチック、その他）の先端部分の上に、板バネ（厚さ０、２〜０、５ｍｍ、幅１３ｍｍ、長さ３０〜４０ｍｍ、中心部が半楕円になっている）２枚を組み合わせて楕円にして、調節棒の軸が差し込めるようになっている。板バネを楕円にする事により、調節棒が回転した時に、軽く触れるだけで基に戻ります。また、台座には、ｍｍ単位ごとに動すことができ、個定できるピンもついている請求項１から請求項４記載のパタ−練習装置。
【請求項６】
調節棒を組込んだ台座の台座受台は、コの字形（厚さ２〜４ｍｍ、コの字の縁は内側に溝を掘ってある幅７０〜９０ｍｍ、コの字の内側幅３５〜５５ｍｍ、奥行き８０〜１１０ｍｍ、全体の長さ１３０〜１５０ｍｍ）に作られており、本体台に固定されていて、コの字形の溝に台座をはめ込むことにより、台座を前後に移動させることができ調節棒としての役目をはたす請求項１から請求項５記載のパタ−練習装置。
【請求項７】
固定板は（幅１０ｍｍ、〜２０ｍｍ、高さ２５〜３５ｍｍ、長さ２５０〜３００ｍｍの長方形の板で両角が丸く削られている）本体台の調節棒の前面に完全に固定されている。固定板と調節棒の間をパタ−クラブのヘッドが通り抜けるようになっており、テ−クバックの時とインパクトの時のクラブヘッドが通過する案内役でもある請求項１から請求項６記載のパタ−練習装置。
【請求項８】
本体台には、踏み台も付いている。踏み台は、ボ−ルと立つ位置の距離を正確に、知ることができるように、巻取式で伸び縮みする装置になっている、伸び縮みするベルトには、距離を表す数字が書き入れてあるので、実際に、ボ−ルの前に立った時のボ−ルとの距離と立つ位置が、目で確認できて正確な距離を覚えることができる請求項１から請求項７記載のパタ−練習装置。
【請求項９】
本体台は、表面に人口芝を張り、人口芝を張った上に固定板、調節棒装置一式、踏み台一式を取り付けて完成品とする。完成品本体台は、単体でも使用でき、嵩上げ台をセッティングしても使用できる。嵩上げ台は、本発明用専用マットを使用する時に、本体台、専用マット、嵩上げ台の３つをセッティングして使用できる請求項１から請求項８記載のパタ−練習装置。
【請求項１０】
本体台も専用マットも嵩上げ台をはずして、床に直に置いても使用でき、収納しやすい位の大きさなので室内で実践同様の練習ができる請求項１から請求項９記載のパタ−練習装置。
【発明の詳細な説明】
【技術分野】
【０００１】本発明は、ゴルフのパタ−練習を、屋内で実践同様自然の感覚で練習ができるパタ−練習装置に関する。詳しくは、実物のパタ−クラブを用いて実物のボ−ルを打撃できます。ボ−ルを打撃する時は、アドレスの状態からテ−クバックとインパクトを目標線上ラインへ向けて真っ直ぐに行います。この動作の時にライン上からクラブヘッドが微妙に外れるとクラブヘッドが装置に触れて、装置が動くのを、目で見て腕で感じる事ができるので自然な状態で、パタ−クラブの正しい軌道の感覚を磨く事ができるパタ−練習装置に関する。
〔背景技術〕【０００２】ゴルファ−が実際にパタ−を練習するには、練習用グリ−ンでカップまでの距離を変えながら、直接カップインするなど、また、他人に後方から見てもらい、クラブヘッドが真っ直ぐテ−クバックして真っ直ぐ打ち出しているかを、アドバイスしてもらう方法での練習を行っている。パタ−クラブでボ−ルを打撃する時に、ゴルファ−が特に集中するのは、ボ−ルの位置から目標へ向けてのボ−ルライン、クラブフェイスをボ−ルラインに合わせる、ボ−ルと立つ位置の距離を調整して、ボ−ルを打撃する手の力の加減、をイメ−ジしてから打ち出します。このように、パッティングには高度な技術と感覚が求められます。【０００３】屋内で練習できる用具として、人工芝マットの先にカップを付けて、そのカップへ向けてボ−ルを打撃する練習用具などがありますが、このような練習用具は、初めてゴルフクラブを握る初級者には、良いと思われますが、初級者でも技術レベルが少し上がった人の、技術向上には不向きだと思います。【０００４】特開平１１−２８２６３号広報に記載されている練習装置のように、２つの案内板を等間隔で垂直に立設し、フェイス角度規制体と称する物にパタ−クラブを取付て、２枚の案内板の間を左右に平行移動させることにより、スイング練習を行うパタ−スイング練習装置が提案されている。【０００５】上記のような練習装置だと、パタ−クラブのヘッドの先に違う物体を付けて練習することになり、筋力アップには良いとしてもパタ−スイングの技術向上には不向きだと思います。また、上記の装置のように２枚の案内板の間隔に、変化のない所を左右に平行移動だけの練習は、少し姿勢が曲がった状態でも左右の平行移動はできますから、目標物を設定してアドレスした時に、違和感を感じたり、などで、大変です。プロゴルファ−もアマチュアゴルファ−も、パタ−クラブは特に実際に使用する道具を用いての練習を望んでいると思います。
【発明の開示】
【発明が解決しようとする課題】
【０００６】ゴルファ−のスコアの善し悪しは、パッティングの技術レベルに大きく左右されると思います。そして、パタ−練習用具の良い物はないかとか、練習用グリ−ンがあったらな−など、皆さん求めていると思います。とろが、実践に近い状態の練習場はそれほどはありません、探すのに苦労します。ドライバ−やアイアンのように、パタ−クラブも実物のクラブを使用して練習したいゴルファ−が大勢いると思います。【０００７】従来のパタ−クラブの練習用としての、用具、装置、機器等は強制的にパタ−スイングを体得させようとするものであって、技術や感覚のレベルアップは困難である。【０００８】ゴルフのスイングは体形によって違う、性質によっても違います。ボ−ルを打撃する基礎は同じでも、打撃する形は人によって違います。また、パタ−クラブも色々な種類がありますので、クラブを握る感触や、目で見る感覚も違ってきます。ゴルファ−の技術のレベルアップには視覚も感覚も技術も実践で訓練する方が一番の近道なのですが、それには、お金と時間が必要です。アマチュアのゴルファ−には金銭も時間も限られています。このような環境の中でのレベルアップには、お金がかからず自宅で空いている時間に練習しながらレベルを上げて行ける方法をゴルファ−の誰もが望んでいると思います。
【課題を解決するための手段】
【０００９】上記のような目的を、少しでも解決するために、本発明は、畳１畳〜１畳半位のスペ−スの場所で実物のパタ−クラブを用いて、実物のボ−ルを打撃し実践同様の練習しながら、高度な感覚と高度な技術のレベルアップを図るための、パタ−練習装置を提供します。【００１０】本発明は、実物のボ−ルを用いて、実物のパタ−クラブを使用して実際に打撃しながら、練習をすることができ、また、ボ−ルを置かなくても実践同様に練習出来ます。【００１１】ゴルフのスイングには基本があります。パタ−クラブは得に真っ直ぐ引いて、真っ直ぐ打ち出すように心掛けて練習する人が多いと思いまず。本発明は実物のパタ−クラブのヘッドを固定板と調節棒の間に置いて、ヘッドの大きさより数ｍｍ、たとえば、ヘッドの大きさが１００ｍｍだとしたら、調節棒を１０５〜１１０ｍｍ位に広げて固定します。そして、パタ−クラブを握りアドレスの状態で立ち、踏み台を調整し固定する、立つ位置が決まったら練習開始です、パタ−クラブを固定板と調節棒の間を真っ直ぐに調節棒の長さの分だけ（１５０ｍｍ〜２００ｍｍ）、テ−クバックしてインパクトします。調節棒が動かなければ、正しい軌道です。【００１２】本発明練習装置の使い方になれるまで、実物のパタ−クラブのヘッドより５ｍｍ〜１０ｍｍ位大きめに、調節棒を広げて練習し、なれてきたら、調節棒をｍｍ単位ずつ狭めて行きながら練習をします。調節棒を実物のパタ−クラブのヘッドより、１〜２ｍｍ位、大きめに広げた状態で、パタ−クラブのヘッドが固定板も調節棒も触れずに、テ−クバックもインパクトもできたら、スイングの基礎、テ−クバックの高度な感覚、インパクトの高度な感覚が体得できます。そして、この感覚が、ドライバ−やアイアンのスイングにも高影響をもたらします。
【発明の効果】
【００１３】ゴルフに興味をもって、初めてクラブを握る人。ジュニアから大人までの、アマチュアからプロゴルファ−までのレベルアップに役立ちます。
ゴルフを初めてまもないゴルファ−、実践の少ないゴルファ−などは、実際のコ−スへ出て一番たたく回数が多いのは、パタ−クラブだと思います。初心者でも早く上達するには、シングル級の人かテ−チィングプロに毎日指導受けながらパタ−練習をすれば上達すると思いますが。しかし、アマチュアゴルファ−は、お金と時間が限られている人が多いと思います。そこで本発明は、一度購入したら後はお金がかからず、自分の家で一日の空いた時間を利用して毎日練習できます。【００１４】パタ−クラブの真っ直ぐ引いて、真っ直ぐ打ち出すは、わかりやすいけど、実技はなかなか難しいものがあります。自分では真っ直ぐ打っているつもりでも、実際には、少し曲がってたりの現実が多いと思います。目標線上ラインから外れたり、曲がっているのは、他の人に見てもらわないと自分では、きずかないことが多いと思います。【００１５】上記のように、後ろから見てくれる他人の変わりに、本発明の調節棒が担ってくれる、すぐれものです。そこで、本発明は初心者からプロゴルファ−までのレベルアップのお手伝いをするパタ−練習装置を提供します。
〔発明を実施するための最良の形態〕【００１６】本発明に係る実施の形態を図に基ずいて説明します。
〔実施例１〕【００１７】図１は、本発明実施形態に係るパタ−練習装置の本体台である。練習装置本体台の１が調節棒で、３６０度回転します。２が調節棒を受ける台座で前後に移動します。３が調節棒と台座を受ける台座受台で本体台に固定されている。４の固定板と１の調節棒の間に実物のパタ−クラブを置いてヘッドの大きさに合わせて調整する時に、２の台座が前後に移動できるようになっております。
〔実施例２〕【００１８】図１の８は踏み台です。踏み台は、ボ−ルと立つ位置の正しい距離を認識して、体が覚えられるように。６は、踏み台を前後に動かせるように伸び縮みする巻取機で、ベルトに数字が書き入れてあります。５は、人工芝マットです。９は、１〜６までを取り付けてある本体台です。１０は、カップ付きマットを接続して使用する時の、嵩上げ台です。１１は、嵩上げ台を接続するピンです。１２と２３は、本体台と嵩上げ台を接続するピンとピン受けです。
〔実施例３〕【００１９】図２は、８の踏み台に立ち、１３のパタ−クラブを置いて立つ位置の距離を６の巻取機で調整して踏み台を固定します。１３のパタ−クラブを真っ直ぐテ−クバックします、この時にクラブヘッドが４の固定板に触れると反動で１の調節棒に当たります、当たった瞬間に１Ｂの点線のように調節棒が動きます。同じく上記のように、テ−クバックして、今度は１の調節棒に直接当たると即座に１Ｂの点線のように調節棒が動きます。インパクトの時も１と４のどちらかに触れても上記のように調節棒が動きます。テ−クバックもインパクトも１の調節棒が動かないようにクラブを振れると上達が早くなります。ここで注意が必要です。１の調節棒と４の固定板の間をクラブヘッドの大きさより５ｍｍ〜１０ｍｍ位調節棒を大きく広げて練習し、なれてきたら少しずつ調節棒を狭めて練習することがレベルアップになります。
〔実施例４〕【００２０】図３と図４は、１の調節棒、２の台座、３の台座受台、１４の調節棒の軸、１５の軸受け板バネ、１６の台座固定ピン、１８の台座止金具、で一組をなす。図３は、断面図。図４は、調節棒の組み方図である。
〔実施例５〕【００２１】図５は、５の人工芝、６の踏み台巻取機、８の踏み台、９の本体台、１０の嵩上台を横から見た図である。
〔実施例６〕【００２２】図６は、２２の人工芝マットの２枚組み合わせ、１９のカップ、２０のボ−ル受け、１１のマット着脱ピン、１２の嵩上げ台着脱ピンの斜視図である。２２の人工芝マットは、図１の本体台と接続でき、ボ−ルを打撃する時に使用します。人工芝は本体台からカップまでの１枚物も使用できます。
【図面の簡単な説明】
【００２３】
【図１】パタ−練習装置の斜視図です。
【図２】パタ−練習装置の正面図です。
【図３】調節棒、軸、台座、台座受け、人工芝マット、マット受、嵩上台の断面図です。
【図４】調節棒と軸の組合わせ、台座受台、台座、板バネ、台座止ピン、の正面図です。
【図５】踏み台、巻取機、伸び縮みするベルト、人工芝マット、マット受台、嵩上げ台の断面図です。
【図６】カップ付き人工芝マット、マット受け台、嵩上げ台、ボ−ル受けの斜視図です。
【符号の説明】
【００２４】１  調節棒
２  調節棒受け台座
３  台座受け台
４  固定板
５  人工芝マット
６  踏み台の巻取機
７  踏み台の巻取用ベルト
８  ボ−ルと立つ位置の距離を正確にする踏み台
９  本体台
１０  嵩上げ台
１１  着脱ピン
１２  着脱ピン
１３  パタ−クラブ
１４  調節棒の軸
１５  調節棒の軸を受ける板バネ
１６  台座固定ピン
１７  調節棒の移動用メモリ
１８  台座固定ピンを止める金具
１９  ボ−ル受けカップ
２０  ボ−ル受け溝
２１  ボ−ルの出口
２２  人工芝マットのカップ付き
２３  着脱ピン受け
【図１】
2005329259.tif 000003
【図２】
2005329259.tif 000004
【図３】
2005329259.tif 000005
【図４】
2005329259.tif 000006
【図５】
2005329259.tif 000007
【図６】
2005329259.tif 000008